(57)【要約】  開示されたディスクドライブはトレイとオープナーとを備える。トレイにはディスクカートリッジが搭載される。トレイは本体にローディング／アンローディングされる。オープナーは本体に設置され、前記トレイに設けられたガイド部に弾力的に接触される。オープナーは第１ギア及び第１突起部を備える。第２ギア部は、第１ギア部と連結されて回転ホイールを回転させる。第２ギア部の先端に設けられた第１突起部は、第１ギアと第２ギアとが互いに噛み合うように回転ホイールを一時的に回転させる。ガイド部は、トレイがローディング／アンローディングされる時に第１突起部とラッチとが互いに干渉しないようにオープナーを移動させる。
2007519157.tif 000002
【特許請求の範囲】
【請求項１】
ディスクが収納されて開口が設けられたケースと、前記開口を開閉するために回転されるものであってその外周に第１ギア部が設けられた回転ホイールと、前記開口が閉じられた状態で前記回転ホイールをロッキングするラッチとを備えるディスクカートリッジを搭載するディスクドライブにおいて、
本体と、
前記ディスクカートリッジを搭載して前記本体にローディング／アンローディングされるトレイと、
前記トレイに設けられるガイド部と、
前記本体に前記ガイド部と弾力的に接触されるように設置されるものであって、前記第１ギア部と結合されて前記回転ホイールを回転させる第２ギア部、前記第２ギア部の先端に設けられて前記第１ギア部と前記第２ギア部とが互いに噛み合うように前記回転ホイールを一時的に回転させる第１突起部を備えるオープナーと、を備え、
前記ガイド部は、前記トレイがローディング／アンローディングされる時、前記第１突起部が前記ラッチと干渉しないように前記オープナーを移動させる第１カム部を備えることを特徴とするディスクドライブ。
【請求項２】
前記第１カム部は、前記第２ギアの先端が前記ラッチと接触しない位置まで前記オープナーを移動させるようになっていることを特徴とする請求項１に記載のディスクドライブ。
【請求項３】
前記ガイド部は、前記第２ギア部が前記ラッチを押して前記回転ホイールをロッキング解除させるように前記オープナーを移動させる第２カム部をさらに備えることを特徴とする請求項１に記載のディスクドライブ。
【請求項４】
前記第２カム部は、前記第２ギアの先端が前記ラッチの側傍に位置した後に、前記第２ギア部の歯形の先が前記ラッチを押すようにその位置が決定されることを特徴とする請求項３に記載のディスクドライブ。
【請求項５】
前記第１突起部は、前記ラッチが結合解除される瞬間、前記回転ホイールを回転させ始めるように位置することを特徴とする請求項３に記載のディスクドライブ。
【請求項６】
前記オープナーは、前記第２ギア部の末端に設けられて、前記開口が開放された状態で前記回転ホイールをロッキングする第２突起部をさらに備えることを特徴とする請求項１に記載のディスクドライブ。
【請求項７】
前記オープナーは、前記本体に前記トレイのローディング／アンローディング方向と直角方向に移動するように設置されたことを特徴とする請求項１に記載のディスクドライブ。
【請求項８】
前記オープナーを前記ガイド部に弾力的に接触させる弾性部材をさらに備えることを特徴とする請求項７に記載のディスクドライブ。
【請求項９】
前記オープナーは、前記第２ギア部の末端に設けられて前記ガイド部に弾力的に接触される第２突起部をさらに備え、前記オープナーは、前記本体に回動自在に設置されることを特徴とする請求項１に記載のディスクドライブ。
【請求項１０】
前記第２突起部を前記ガイド部に弾力的に接触させる弾性部材をさらに備えることを特徴とする請求項９に記載のディスクドライブ。
【請求項１１】
前記第２突起部は、前記第２ギア部から延びた弾力アームに設けられて、前記第２突起部は、前記弾力アーム弾性力によって前記ガイド部に弾力的に接触されることを特徴とする請求項９に記載のディスクドライブ。
【請求項１２】
前記第２突起部は、前記開口が開放された状態で前記回転ホイールをロッキングすることを特徴とする請求項９に記載のディスクドライブ。
【請求項１３】
前記トレイには、前記ディスクカートリッジを前記トレイに弾力的に固定させるカートリッジガイドが設けられ、
前記ガイド部は、前記カートリッジガイドに設けられることを特徴とする請求項１に記載のディスクドライブ。
【請求項１４】
ディスクが収納されて開口が設けられたケースと、第１ギア部を備えて前記開口を開閉するために動作される開閉器具と、前記開口が閉じられた状態で前記開閉器具をロッキングするラッチと、を備えるディスクカートリッジを搭載するディスクドライブにおいて、
本体と、
前記ディスクカートリッジを搭載して前記本体にローディング／アンローディングされるトレイと、
前記トレイに設けられるガイド部と、
前記本体に回動自在に設置されるものであって、前記第１ギア部と結合されて前記開閉器具を動作させる第２ギア部と、前記第２ギア部の先端に設けられて前記第１ギア部と前記第２ギア部とが互いに噛み合うように前記開閉器具を一時的に動作させる第１突起部と、前記第２ギア部の末端に設けられて前記ガイド部に弾力的に接触される第２突起部と、を備えるオープナーと、を備え、
前記ガイド部は、前記トレイがローディング／アンローディングされる時、前記第１突起部が前記ラッチと干渉しないように前記オープナーを回動させる第１カム部を備えることを特徴とするディスクドライブ。
【請求項１５】
前記第１カム部は、前記第２ギアの先端が前記ラッチと接触しない位置まで前記オープナーを回動させ、
前記ガイド部は、前記第２ギアの先端が前記ラッチの側傍に位置した後に、前記第２ギア部の歯形の先が前記ラッチを押して前記回転ホイールをロッキング解除させるように前記オープナーを回動させる第２カム部をさらに備えることを特徴とする請求項１４に記載のディスクドライブ。
【請求項１６】
前記第１突起部は、前記ラッチが結合解除される瞬間に前記回転ホイールを回転させ始めるように位置することを特徴とする請求項１５に記載のディスクドライブ。
【請求項１７】
前記第２突起部は、前記開口が開放された状態で前記開閉器具をロッキングすることを特徴とする請求項１４に記載のディスクドライブ。
【請求項１８】
開口が設けられたケースと、外周に第１ギア部が設けられて前記開口を開閉するために回転される回転ホイールと、前記開口が閉じられた状態で前記回転ホイールをロッキングするラッチと、を備えるカートリッジを搭載するディスクドライブにおいて、
本体にローディング／アンローディングされ、前記カートリッジを搭載するトレイと、
前記本体に設置されて前記トレイに設けられたガイド部と接触して弾力的にピボットされるオープナーとを備え、前記オープナーは、
前記第１ギア部と結合されて前記回転ホイールを回転させる第２ギア部と、
前記第２ギア部の先端に設けられて、前記第１ギア部と前記第２ギア部とが互いに噛み合うように前記回転ホイールを一時的に回転させる第１突起部と、
前記ガイド部に設けられて、前記トレイがローディング／アンローディングされる時に前記第１突起部が前記ラッチと干渉しないように前記オープナーを移動させる第１カム部とを備えることを特徴とするディスクドライブ。
【発明の詳細な説明】
【技術分野】
【０００１】
本発明は、情報記録再生媒体であるディスクを収納してホコリや指紋のような汚染源からその記録面を保護するディスクカートリッジを搭載するディスクドライブに関する。
【背景技術】
【０００２】
最近にディスクの高容量化が進みつつある。同じ面積を持つディスクに高容量の情報を受け入れるためには情報を高密度に記録せねばならない。記録密度が高くなるにつれて、ディスクの記録面がホコリや指紋などの異物で汚染されれば、情報の記録、再生特性に致命的な影響を及ぼす。したがって、ディスクの記録面を異物から保護するために、ディスクカートリッジを使用する傾向が普遍化すると予想される。
【０００３】
ディスクカートリッジには、ディスクを回転させるスピンドルモータと、ディスクの記録面に／から情報を記録／再生する光ピックアップがディスクに接近できるように開放された開口と、が設けられる。また、ディスクカートリッジには、開口を閉鎖していて必要に応じて開放するシャッターが備えられる。また、ディスクカートリッジは開口が閉じられた状態では、シャッターが外部の衝撃によって開放されないようにロッキングするラッチを備える。
【発明の開示】
【発明が解決しようとする課題】
【０００４】
前述したようなディスクカートリッジを搭載して情報を記録／再生させるディスクドライブは、ディスクカートリッジがローディングされれば、ラッチを結合解除して開口を開放せねばならない。また、ディスクカートリッジがアンローディングされる時には、開口を閉じた後にシャッターが開かないようにラッチを作動させて、シャッターをロッキングさせねばならない。シャッターがしっかりロッキングされなければ、ディスクカートリッジの運搬中に開口が開いてディスクの記録面がホコリや指紋などの異物によって汚染されてしまう。
【課題を解決するための手段】
【０００５】
本発明は、前記した必要性に鑑みてなされたものであり、ディスクカートリッジを搭載できるディスクドライブを提供するところにその目的がある。本発明はまた、ディスクカートリッジがアンローディングされる時に開口をしっかり閉じることができるディスクカートリッジを提供するところにその目的がある。
【０００６】
前述した目的を達成するための本発明のディスクドライブは、ディスクが収納されて開口が設けられたケースと、前記開口を開閉するために回転されるものであってその外周に第１ギア部が設けられた回転ホイールと、前記開口が閉じられた状態で前記回転ホイールをロッキングするラッチとを備えるディスクカートリッジを搭載するディスクドライブにおいて、本体と、前記ディスクカートリッジを搭載して前記本体にローディング／アンローディングされるトレイと、前記トレイに設けられるガイド部と、前記本体に前記ガイド部と弾力的に接触されるように設置されるものであって、前記第１ギア部と結合されて前記回転ホイールを回転させる第２ギア部、前記第２ギア部の先端に設けられて前記第１ギア部と前記第２ギア部とが互いに噛み合うように前記回転ホイールを一時的に回転させる第１突起部を備えるオープナーとを備え、前記ガイド部は、前記トレイがローディング／アンローディングされる時、前記第１突起部が前記ラッチと干渉しないように前記オープナーを移動させる第１カム部を備えることを特徴とする。
【０００７】
前述した目的を達成するための本発明のディスクドライブは、ディスクが収納されて開口が設けられたケースと、第１ギア部を備えて前記開口を開閉するために動作される開閉器具と、前記開口が閉じられた状態で前記開閉器具をロッキングするラッチと、を備えるディスクカートリッジを搭載するディスクドライブにおいて、本体と；前記ディスクカートリッジを搭載して前記本体にローディング／アンローディングされるトレイと；前記トレイに設けられるガイド部と；前記本体に回動自在に設置されるものであって、前記第１ギア部と結合されて前記開閉器具を動作させる第２ギア部と、前記第２ギア部の先端に設けられて前記第１ギア部と前記第２ギア部とが互いに噛み合うように前記開閉器具を一時的に動作させる第１突起部と、前記第２ギア部の末端に設けられて前記ガイド部に弾力的に接触される第２突起部と、を備えるオープナーと；を備え、前記ガイド部は、前記トレイがローディング／アンローディングされる時、前記第１突起部が前記ラッチと干渉しないように前記オープナーを回動させる第１カム部を備えることを特徴とする。
【発明の効果】
【０００８】
前述したように、本発明によるディスクドライブによれば、次のような効果を得ることができる。
【０００９】
第１に、ディスクカートリッジがアンローディングされる時、ディスクカートリッジの開口が完全に閉じられてロッキングすることができる。これによって、開口を通じてホコリなどの異物がディスクカートリッジ内部に入り込むことを防止できる。
【００１０】
第２に、オープナーの第２ギア部の歯形の先がラッチを押して回転ホイールをアンロッキングすることによって、第２ギア部またはラッチの破損や接触ノイズを防止できる。
【発明を実施するための最良の形態】
【００１１】
以下、添付した図面を参照して本発明の望ましい実施形態を詳細に説明する。ここで、同じ参照符号は同じ構成要素を示す。
【００１２】
図１は、本発明によるディスクドライブに搭載されるディスクカートリッジの一例を示す分解斜視図である。図２及び図３は、それぞれ開口が閉じられた状態及び開いた状態を示す平面図である。図１を参照するに、下部カバー１２０と上部カバー１１０とが結合されてその内部にディスクＤが収容されるケースを形成する。下部カバー１２０には開口１２１が形成されている。ディスクＤは、その記録面が開口１２１に向かうようにケースに収容される。ディスクカートリッジ１００には、開口１２１を開閉するための開閉器具が備えられる。一例として、開閉器具は、一対のシャッター１３０Ａ、１３０Ｂ、回転ホイール１４０、ラッチ１５０を備える。一対のシャッター１３０Ａ、１３０Ｂは、下部カバー１２０に設けられた突起１２６Ａ、１２６Ｂに回動自在に設置される。回転ホイール１４０は、シャッター１３０Ａ、１３０Ｂの上方に位置する。回転ホイール１４０の下側には一対の突出部１４１Ａ、１４１Ｂが設けられる。一対の突出部１４１Ａ、１４１Ｂは、一対のシャッター１３０Ａ、１３０Ｂにそれぞれ設けられた軌跡１３１Ａ、１３１Ｂに挿入される。回転ホイール１４０の外周には、第１ギア部１４１が設けられる。また、回転ホイール１４０の外周には第１ギア部１４１の両端部に第１、第２結合溝１４２、１４３が設けられる。ラッチ１５０は、下部カバー１２０に設けられた突起１２７に回動自在に設置される。ラッチ１５０は、回転ホイール１４０を選択的にロッキングすることによって、開閉器具全体の作動を選択的に許容または不許するものであって、第２結合溝１４３に結合されるフック部１５１と、このフック部１５１が第２結合溝１４３に結合される方向に付勢時させるための弾力アーム１５２とを備える。弾力アーム１５２は、下部カバー１２０の壁体に支持される。下部カバー１２０の一側部には、外部から第１ギア部１４１と第１、第２結合溝１４２、１４３をアクセスできるように開放された第１スロット１２２と、ラッチ１５０にアクセスできるように開放された第２スロット１２３とが設けられている。
【００１３】
開口１２１が閉じられた状態では、図２に示すように、ラッチ１５０のフック１５１が第２結合溝１４３に結合されて回転ホイール１４０がロッキングされる。また、回転ホイール１４０の第１結合溝１４２とラッチ１５０の一端部１５３とは、それぞれ第１、第２スロット１２２、１２３を通じてディスクカートリッジ１００の外部に露出されている。第１、第２スロット１２２、１２３を通じて外部からラッチ１５０と回転ホイール１４０とにアクセスして回転ホイール１４０を回転させれば、突出部１４１Ａ、１４１Ｂと軌跡１３１Ａ、１３１Ｂとの相互作用によってシャッター１３０Ａ、１３０Ｂが回動されて、図３に示すように開口１２１が開くようになる。
【００１４】
図４は、本発明によるディスクドライブの一実施形態を示す斜視図である。図４を参照するに、ディスクＤが載置されるターンテーブル２１０及びそのディスクＤに対する記録／再生作業を行う光ピックアップ２３０が設置された本体２００と、ディスクＤまたはそのディスクＤが収納されたディスクカートリッジ１００を収容して本体２００内外に出入自在に設置されるトレイ２４０と、本体２００を覆うカバー２０１とが図示されている。カバー２０１には、ディスクＤをターンテーブル２１０上にクランピングさせるためのクランパー２２０が設置されている。トレイ２４０は、本体２００に図４の矢印（Ａ１，Ａ２）方向に摺動されつつローディング／アンローディングされる。
【００１５】
一方、本発明のトレイ２４０には、ディスクＤが収納されたディスクカートリッジ１００をトレイ２４０に弾力的に固定させ、またディスクカートリッジ１００なしにベア（ｂａｒｅ）ディスクＤをガイドするためのカートリッジガイド２５０がさらに備えられうる。カートリッジガイド２５０は、バネ２６０によってトレイ２４０に対して弾力的に支持されている。ディスクカートリッジ１００は、トレイ２４０の第１載置面２４１に載置される。それにより、カートリッジガイド２５０は、ディスクカートリッジ１００により押されて図４に点線で図示された位置に移動し、バネ２６０の弾性力によってディスクカートリッジ１００はトレイ２４０に弾力的に固定される。ディスクカートリッジ１００をトレイ２４０から除去すれば、バネ２６０の復原力によってカートリッジガイド２５０は元来の位置（図４に実線で図示された位置）に復帰される。カートリッジガイド２５０の先端に設けられた湾曲部２５１は、第２載置面２４２の外周とほぼ同じ曲率を持つ。したがって、ベアディスクＤが第２載置面２４２に載置されれば、ディスクＤは第２載置面２４２の外周及びカートリッジガイド２５０の湾曲部２５１によってその定着位置がガイドされる。
【００１６】
図５は、図４のＢ部を詳細に示す平面図である。図５を参照するに、本体２００の一側部には、開閉器具を動作させるためのオープナー３１０が設置される。本実施形態で、オープナー３１０は、ヒンジ３１１を中心として図面の矢印（Ｃ１，Ｃ２）方向に回動自在に設置される。オープナー３１０が過度に回動することを防止するために、オープナー３１０には二つの長孔部３１２が設けられる。本体２００には前記長孔部３１２に挿入される二つのボス２０１が突設される。オープナー３１０の回動角度は、長孔部３１２の長さによって制限される。オープナー３１０は、回転ホイール１４０を回転させるために第１ギア部１４１と連結される第２ギア部３１３を備える。第２ギア部３１３の先端に第１突起部３１４が設けられる。第１突起部３１４は、回転ホイール１４０の第１結合溝１４２に結合されてラッチ１５０がロッキング解除された後に、第２ギア部３１３が第１ギア部１４１に結合されるまで回転ホイール１４０を一時的に回転させる。
【００１７】
参照符号３２０はガイド部である。オープナー３１０はガイド部３２０に接触される。ガイド部３２０は、図５に示すように、カートリッジガイド２５０の一側部に設けられてもよく、図６に示すようにトレイ２４０自体の一側部に設けられてもよい。以下では、ガイド部３２０がカートリッジガイド２５０に設けられた場合について説明する。オープナー３１０はガイド部３２０に接触される。本実施形態のオープナー３１０は、第２ギア部３１３の末端に設けられてガイド部３２０に弾力的に接触される第２突起部３１５を備える。第２突起部３１５は、後述するが、ディスクカートリッジ１００の開口１２１が開放された状態で回転ホイール１４０の第２結合溝１４３に結合されて回転ホイール１４０をロッキングする役割を兼ねることができる。ガイド部３２０は第１カム部３２１を備える。第１カム部３２１は、トレイ２４０がＡ１方向に摺動する時にオープナー３１０をＣ１方向に回動させるように傾いている。ガイド部３２０は、第２カム部３２２をさらに備えることができる。第２カム部３２２は、トレイ２４０がＡ１方向に摺動する時にオープナー３１０をＣ２方向に回動させるように傾いている。
【００１８】
参照符号３３０は、第２突起部３１５がガイド部３２０に接触する方向にオープナー３１０を付勢させる弾性部材である。オープナー３１０は、一般的に弾性を持つプラスチックで製造される。第２突起部３１５は、図５及び図６の点線で示すように、第２ギア部３１３の末端から延びた弾力アーム３１６の端部に設けられることによって、弾力アーム３１６の弾性力によってガイド部３２０に弾力的に接触されることも可能である。
【００１９】
トレイ２４０は、ディスクカートリッジ１００を搭載してＡ１方向に摺動して本体２００にローディングされる。トレイ２４０がＡ１方向に摺動すれば、第２突起部３１５及び第１カム部３２１が接触しつつ、弾性部材３３０の弾性力によってオープナー３１０はＣ１方向に回動する。次いで、トレイ２４０がＡ１方向に摺動して第２突起部３１５が第２カム部３２２と接触すれば、オープナー３１０は再びＣ２方向に回動する。トレイ２４０は、Ａ２方向に摺動して本体２００からアンローディングされる。トレイ２４０がＡ２方向に摺動されれば、第２突起部３１５は、第２カム部３２２及び第１カム部３２１と順に接触される。それにより、オープナー３１０は、弾性部材３３０の弾性力によってＣ１方向に回動されてから再びＣ２方向に回動する。
【００２０】
図７ないし図１１は、ディスクカートリッジ１００のローディング／アンローディング過程を段階的に示す平面図である。図１ないし図１１を参照して、本発明によるディスクドライブの一実施形態の作用効果を説明する。
【００２１】
ディスクカートリッジ１００をトレイ２４０の第１載置面２４１に搭載すれば、カートリッジガイド２５０が図４に点線で図示された位置に押される。バネ２６０の弾性力によってディスクカートリッジ１００は、トレイ２４０に弾力的に固定される。この時、ラッチ１５０のフック１５１が回転ホイール１４０の第２結合溝１４３に結合されているので、回転ホイール１４０は回転しない。また、回転ホイール１４０の第１結合溝１４２及びラッチ１５０の一端部１５３は、それぞれ第１、第２スロット１２２、１２３を通じてディスクカートリッジ１００の外部に露出されている。
【００２２】
トレイ２４０はＡ１方向に摺動して本体２００にローディングされ始めれば、オープナー３１０の第１突起部３１４にラッチ１５０の一端部１５３が接近する。この時、図７に示すように、オープナー３１０の第２突起部３１５が第１カム部３２１と接触しつつオープナー３１０は弾性部材３３０の弾性力によってＣ１方向に回動する。それにより、第１突起部３１４は、図７に示すように、ラッチ１５０の一端部１５３と干渉しない位置に位置し、回転ホイール１４０はロッキングされた状態が維持される。また、第１カム部３２１は、オープナー３１０の第２ギア部３１３の先端がラッチ１５０の一端部１５３と接触しない位置までオープナー３１０を回動させるように形成されることが望ましい。
【００２３】
トレイ２４０がＡ１方向に摺動され続ければ、オープナー３１０の第２ギア部３１３にラッチ１５０の一端部１５３が接近する。オープナー３１０は、Ｃ１方向に回動された状態であるために、図８に示すように、第２ギア部３１３の先端はラッチ１５０の一端部１５３と接触しない。第２ギア部３１３の先端がラッチ１５０の一端部１５３の側傍に位置すれば、第２突起部３１５が第２カム部３２２と接触してオープナー３１０はＣ２方向に回動され始める。それにより、第２ギア部３１３はラッチ１５０の一端部１５３に接触してラッチ１５０をＤ１方向に回動させ始める。第２突起部３１５が第２カム部３２２を外れれば、図９に示すように、ラッチ１５０はＤ１方向に完全に回動されて、フック部１５１が回転ホイール１４０の第２結合溝１４３から外れる。したがって、回転ホイール１４０のロッキングが解除される。この時、オープナー３１０の第１突起部３１４は、ディスクカートリッジ１００の第１スロット１２２を通じて回転ホイール１４０の第１結合溝１４２に結合され、トレイ２４０がＡ１方向に摺動され続ければ初めて回転ホイール１４０は開口１２１を開くために回転され始める。
【００２４】
従来には、第２ギア部３１３の歯形の歯側面３１３Ａがラッチ１５０の一端部１５３とまず接触するようになっていて、耳障りな接触ノイズが発生するか、または第２ギア部３１３の歯形が破損される問題があった。しかし、前述したような構成によれば、第２ギア部３１３の歯形の先（ｔｏｏｔｈ
ｃｒｅｓｔ）３１３Ｂがラッチ１５０の一端部１５３と接触するので、第１ギア部１４１とラッチ１５０との接触ノイズを抑制ないしは除去でき、第２ギア部３１３のギア歯形が破損されることを防止できる。
【００２５】
第１突起部３１４は、少なくとも第２ギア部３１３が回転ホイール１４０の第１ギア部１４１と結合されるまで回転ホイール１４０を回転させる。次いで、トレイ２４０がＡ１方向に摺動されれば、回転ホイール１４０が回転しつつ、シャッター１３０Ａ、１３０Ｂが図１０の矢印（Ｅ１）方向に回転して開口１２１が開き始める。トレイ２４０のローディングが完了すれば、図１１に示すように、第２突起部３１５が回転ホイール１４０の第２結合溝１４３に結合されて回転ホイール１４０をロッキングする。したがって、ディスクカートリッジ１００を搭載したトレイ２４０が本体２００に完全にローディングされれば、開口１２１は開放された状態を維持する。
【００２６】
トレイ２４０がＡ２方向に摺動してアンローディングされる過程は、前述したローディング過程の逆順である。図１１、図１０及び図９に図示された過程を順に経てシャッター１３０Ａ、１３０ＢがＥ２方向に回動されて開口１２１が閉じられる。第２突起部３１５が第２カム部３２２に接触し始めれば、オープナー３１０が弾性部材３３０の弾性部材３３０の弾性力によってＣ１方向に回動され、ラッチ１５０は、図８に示すように、弾力アーム１５２の復原力によってＤ２方向に回動されてフック部１５１が回転ホイール１４０の第２結合溝１４３に結合される。したがって、回転ホイール１４０がロッキングされる。この状態で、トレイ２４０がＡ２方向に摺動し続けてもオープナー３１０の第１突起部３１４はラッチ１５０と接触しない。
【００２７】
もし、この時に第１突起部３１４がラッチ１５０の一端部１５３に接触すれば、ラッチ１５０がＤ１方向に回動して回転ホイール１４０のロッキングが解除されうる。それにより、ディスクカートリッジ１００は、回転ホイール１４０がロッキングされていない状態でトレイ２４０から除去される。この状態で、ディスクカートリッジ１００を除去すれば、シャッター１３０Ａ、１３０Ｂが開いて開口１２１を通じてホコリなどの異物がディスクカートリッジ１００内部に入り込む。しかし、本実施形態によれば、ディスクカートリッジ１００がトレイ２４０に搭載されてローディング／アンローディングされる過程で、第１突起部３１４がラッチ１５０と接触しないようになっているので、回転ホイール１４０がしっかりロッキングされた状態でディスクカートリッジ１００がトレイ２４０から除去される。
【００２８】
図１２は、本発明によるディスクドライブの他の実施形態を示す平面図である。本実施形態のディスクドライブは、オープナー３１０がトレイ２４０の摺動方向に対して直角方向に平行移動するようになっていることを特徴とする。以下で、図１ないし図１１に開示された構成要素と実質的に同じ機能を持つ構成要素は同じ参照符号で表示して重複される説明は省略する。
【００２９】
図１２を参照するに、本体２００の一側部にオープナー３１０が設置される。本実施形態でオープナー３１０は、図面の矢印（Ｆ１，Ｆ２）方向、すなわち、トレイ２４０のローディング／アンローディング方向（Ａ１，Ａ２）に対して直角方向に平行移動可能に設置される。そのために、オープナー３１０には二つの長孔部３１２が設けられる。本体２００には、前記長孔部３１２に挿入される二つのボス２０１が突設される。オープナー３１０は第２ギア部３１３を備える。第２ギア部３１３の先端に第１突起部３１４が設けられる。第２ギア部３１３の末端には第２突起部３１５がさらに設けられうる。第２突起部３１５は、前述したようにディスクカートリッジ１００のローディングが完了した時に回転ホイール１４０の第２結合溝１４３に結合されて、開口１２１が開放された状態で回転ホイール１４０をロッキングする。トレイ２４０にはガイド部３２０が設けられる。オープナー３１０はガイド部３２０に接触される。ガイド部３２０は、カートリッジガイド２５０の一側部またはトレイ２４０自体の一側部に設けられうるということは、前述した実施形態と同様である。以下では、ガイド部３２０がカートリッジガイド２５０に設けられた場合について説明する。本実施形態のオープナー３１０には、ガイド部３２０に向かって突出した接触部３１８が設けられる。参照符号３３０は、接触部３１８がガイド部３２０に接触する方向、すなわち、図１２のＦ１方向にオープナー３１０を付勢させる弾性部材である。
【００３０】
ガイド部３２０は第１カム部３２１を備える。第１カム部３２１は、トレイ２４０がＡ１方向に摺動する時にオープナー３１０をＦ１方向に移動させるように傾いている。ガイド部３２０は第２カム部３２２をさらに備えられる。第２カム部３２２は、トレイ２４０がＡ１方向に摺動する時にオープナー３１０をＦ２方向に移動させるように傾いている。
【００３１】
このような構成によって、ディスクカートリッジ１００をトレイ２４０に搭載してローディング／アンローディングさせる過程は、オープナー３１０がＦ１、Ｆ２方向に平行移動することを除いては、図４ないし図１１を参照して説明した通りであるので省略する。
【００３２】
図１３は、本発明によるディスクドライブに搭載されるディスクカートリッジの他の例を図示したものである。本例のディスクカートリッジ１００ａは、第２開口１４４が設けられた回転ホイール１４０Ａが下部カバー１２０上に設置され、ディスクＤは回転ホイール１４０Ａ上に位置するという点と、シャッター１３０Ａ、１３０Ｂが省略されたという点を除いては、図１ないし図３に図示されたディスクカートリッジ１００と同一である。オープナー３１０を利用して回転ホイール１４０Ａを図面の矢印（Ｇ）方向に回転させて、第２開口１４４と下部カバー１２０に設けられた開口１２１とが互いに連通するか、または外れることによって開口１２１を開閉できる。
【００３３】
本発明によるディスクドライブに搭載されうるディスクカートリッジは、図１ないし図３と図１３に図示された例に限定されない。本発明によるディスクドライブは、ラッチ及び回転ホイールを持つ多様な形態のディスクカートリッジを搭載できる。
【産業上の利用可能性】
【００３４】
本発明は、情報記録／再生媒体であるディスクを収納してホコリや指紋のような汚染源からその記録面を保護するディスクカートリッジを搭載するディスクドライブに関する。
【図面の簡単な説明】
【００３５】
【図１】本発明によるディスクドライブに採用されるディスクカートリッジの一例を示す分解斜視図である。
【図２】図１に図示されたディスクカートリッジの開口が閉じられた状態及び開いた状態を示す平面図である。
【図３】図１に図示されたディスクカートリッジの開口が閉じられた状態及び開いた状態を示す平面図である。
【図４】本発明によるディスクドライブの一実施形態を示す斜視図である。
【図５】図４のＢ部を詳細に示す平面図である。
【図６】ガイド部の一変形例を示す平面図である。
【図７】図４に図示されたディスクドライブの一実施形態によるディスクカートリッジのローディング／アンローディング過程を段階的に示す平面図である。
【図８】図４に図示されたディスクドライブの一実施形態によるディスクカートリッジのローディング／アンローディング過程を段階的に示す平面図である。
【図９】図４に図示されたディスクドライブの一実施形態によるディスクカートリッジのローディング／アンローディング過程を段階的に示す平面図である。
【図１０】図４に図示されたディスクドライブの一実施形態によるディスクカートリッジのローディング／アンローディング過程を段階的に示す平面図である。
【図１１】図４に図示されたディスクドライブの一実施形態によるディスクカートリッジのローディング／アンローディング過程を段階的に示す平面図である。
【図１２】本発明によるディスクドライブの他の実施形態を示す平面図である。
【図１３】本発明によるディスクドライブに採用されるディスクカートリッジの他の例を示す平面図である。
【図１】
2007519157.tif 000003
【図２】
2007519157.tif 000004
【図３】
2007519157.tif 000005
【図４】
2007519157.tif 000006
【図５】
2007519157.tif 000007
【図６】
2007519157.tif 000008
【図７】
2007519157.tif 000009
【図８】
2007519157.tif 000010
【図９】
2007519157.tif 000011
【図１０】
2007519157.tif 000012
【図１１】
2007519157.tif 000013
【図１２】
2007519157.tif 000014
【図１３】
2007519157.tif 000015
【国際調査報告】
2007519157.tif 000016